(57)【要約】【課題】複数のジョブデータを並列処理している場合であっても、機械の設定変更を指示する特殊なコマンドデータを含むジョブデータ以降のジョブデータに対して機械の設定変更を反映させることができる画像形成システムを提供する。【解決手段】  画像形成システム１は、情報処理装置２と、画像形成装置３とを備える。情報処理装置２は、制御部２３と、通信部２１とを有する。制御部２３は、複数のジョブデータを並列処理する。通信部２１は、画像形成装置３と通信する。制御部２３は、複数のジョブデータのいずれか１つからコマンドデータを検出し、コマンドデータを検出したことに応じて並列処理を停止する。制御部２３は、通信部２１を介して、コマンドデータが示す設定変更値を反映させる要求を画像形成装置３に行う。【選択図】図５
2020144604.tif 000002
【特許請求の範囲】
【請求項１】
情報処理装置と、
画像形成装置と
を備え、
前記情報処理装置は、
複数のジョブデータを並列処理する制御部と、
前記画像形成装置と通信する通信部と
を有し、
前記制御部は、
前記複数のジョブデータのいずれか１つからコマンドデータを検出し、
前記コマンドデータを検出したことに応じて前記並列処理を停止し、
前記通信部を介して、前記コマンドデータが示す設定変更値を反映させる要求を前記画像形成装置に行う、画像形成システム。
【請求項２】
前記制御部は、前記要求の後、前記複数のジョブデータを逐次処理する、請求項１に記載の画像形成システム。
【請求項３】
前記制御部は、前記複数のジョブデータのうち、最初に処理を開始した前記ジョブデータから前記コマンドデータを検出する、請求項１又は２に記載の画像形成システム。
【請求項４】
前記画像形成装置は、
記録媒体に画像を形成する画像形成部と、
前記要求を受信する受信部と、
設定値を記憶する記憶部と、
前記設定値に基づいて、前記画像形成部を制御する制御部と
を備え、
前記制御部は、前記要求に応じて前記設定値を変更する、請求項１から請求項３のいずれか１項に記載の画像形成システム。
【請求項５】
複数のジョブデータを並列処理する制御部と、
画像形成装置と通信する通信部と
を有し、
前記制御部は、
前記複数のジョブデータのいずれか１つからコマンドデータを検出し、
前記コマンドデータを検出したことに応じて前記並列処理を停止し、
前記通信部を介して、前記コマンドデータが示す設定変更値を反映させる要求を前記画像形成装置に行う、情報処理装置。
【請求項６】
複数のジョブデータを並列処理するステップと、
前記複数のジョブデータのいずれか１つからコマンドデータを検出するステップと、
前記コマンドデータを検出したことに応じて前記並列処理を停止するステップと、
前記コマンドデータが示す設定変更値を反映させる要求を画像形成装置に行うステップと
を含む、情報処理方法。
【発明の詳細な説明】
【技術分野】
【０００１】
本発明は、画像形成システム、情報処理装置、及び情報処理方法に関する。
【背景技術】
【０００２】
特許文献１には、管理手段と、複数の処理手段とを備える画像処理装置が開示されている。管理手段は、入力画像情報の処理を複数の処理手段の各々に分散して割り当てる。複数の処理手段は、画像情報を並行して処理可能である。
【先行技術文献】
【特許文献】
【０００３】
【特許文献１】特開平１０−２８９０６６号公報
【発明の概要】
【発明が解決しようとする課題】
【０００４】
プリンター言語によっては、機械の設定変更を指示する特殊なコマンドがＲＩＰ（Ｒａｓｔｅｒ  Ｉｍａｇｅ  Ｐｒｏｃｅｓｓｏｒ）情報のような画像情報に紛れ込んでいる場合がある。このような場合、その設定変更を次ジョブデータ以降に反映させる必要がある。具体的には、並列処理中の複数のジョブデータのいずれかに特殊なコマンドが紛れ込んでいる場合、複数のジョブデータのうち、特殊なコマンドを含むジョブデータ以降のジョブデータに対して、特殊なコマンドに基づく機械の設定変更を反映させる必要がある。
【０００５】
しかしながら、特許文献１に開示の画像処理装置では、並列処理中の複数のジョブデータのいずれかに特殊なコマンドが紛れ込んでいても、特殊なコマンドを含むジョブデータ以降のジョブデータに対して、機械の設定変更を反映させることができない。
【０００６】
そこで、本発明は、上記課題に鑑み、複数のジョブデータを並列処理している場合であっても、機械の設定変更を指示する特殊なコマンドデータを含むジョブデータ以降のジョブデータに対して機械の設定変更を反映させることができる画像形成システム、情報処理装置、画像形成装置、及び情報処理方法を提供することを目的とする。
【課題を解決するための手段】
【０００７】
本発明に係る画像形成システムは、情報処理装置と、画像形成装置とを備える。前記情報処理装置は、制御部と、通信部とを有する。前記制御部は、複数のジョブデータを並列処理する。前記通信部は、前記画像形成装置と通信する。前記制御部は、前記複数のジョブデータのいずれか１つからコマンドデータを検出し、前記コマンドデータを検出したことに応じて前記並列処理を停止する。前記制御部は、前記通信部を介して、前記コマンドデータが示す設定変更値を反映させる要求を前記画像形成装置に行う。
【０００８】
本発明に係る情報処理装置は、制御部と、通信部とを備える。前記制御部は、複数のジョブデータを並列処理する。前記通信部は、画像形成装置と通信する。前記制御部は、前記複数のジョブデータのいずれか１つからコマンドデータを検出する。前記制御部は、前記コマンドデータを検出したことに応じて前記並列処理を停止し、前記通信部を介して、前記コマンドデータが示す設定変更値を反映させる要求を前記画像形成装置に行う。
【０００９】
本発明に係る情報処理方法は、複数のジョブデータを並列処理するステップと、前記複数のジョブデータのいずれか１つからコマンドデータを検出するステップと、前記コマンドデータを検出したことに応じて前記並列処理を停止するステップと、前記コマンドデータが示す設定変更値を反映させる要求を画像形成装置に行うステップとを含む。
【発明の効果】
【００１０】
本発明の画像形成システム、情報処理装置、及び情報処理方法によれば、複数のジョブデータを並列処理している場合であっても、機械の設定変更を指示する特殊なコマンドデータを含むジョブデータ以降のジョブデータに対して機械の設定変更を反映させることができる。
【図面の簡単な説明】
【００１１】
【図１】本発明の実施形態に係る画像形成システムを示す図である。
【図２】本発明の実施形態に係る画像形成システムの情報処理装置のブロック図である。
【図３】本発明の実施形態に係る画像形成装置のブロック図である。
【図４】本発明の実施形態に係る情報処理装置の第１制御部が実行する変換処理を示すフローチャートである。
【図５】（ａ）、（ｂ）、及び（ｃ）は、本発明の実施形態に係る情報処理装置の第１制御部が実行する変換処理を示すタイミングチャートである。
【発明を実施するための形態】
【００１２】
以下、図面を参照して、本発明に係る画像形成システム、情報処理装置、及び情報処理方法の実施形態について説明する。なお、図中、同一又は相当部分については同一の参照符号を付して説明を繰り返さない。
【００１３】
図１を参照して、本実施形態に係る画像形成システム１について説明する。図１は、本実施形態に係る画像形成システム１を示す図である。
【００１４】
画像形成システム１は、ユーザーの要求を応じて、印刷すべき画像を記録媒体に形成する。図１に示すように、画像形成システム１は、情報処理装置２と、画像形成装置３と、ネットワーク４とを備える。情報処理装置２と、画像形成装置３とは、ネットワーク４を介して相互に通信可能に接続される。ネットワーク４は、例えば、ＬＡＮ（Ｌｏｃａｌ  Ａｒｅａ  Ｎｅｔｗｏｒｋ）、インターネット、又は電話網である。
【００１５】
図１に示すように、情報処理装置２は、ネットワーク４を介して外部端末５と通信する。外部端末５は、ユーザーが使用する端末であり、例えば、デスクトップ型パーソナルコンピューター、ノート型パーソナルコンピューター、タブレット端末、又はスマートフォンである。
【００１６】
画像形成システム１の印刷プロセスの概略について説明する。外部端末５は、ユーザーから印刷命令を受け付けると、印刷情報をプリンター言語に変換し、プリンター言語を情報処理装置２に送信する。情報処理装置２は、受信したプリンター言語を解釈して中間言語を生成し、中間言語をラスターライズしてオブジェクトデータを生成し、オブジェクトデータを画像形成装置３に送信する。画像形成装置３は、オブジェクトデータを受信すると、印刷を実行する。このように、本実施形態では、画像に関する変換処理は、情報処理装置２で行われる。ここで、プリンター言語は、印刷すべき画像を示すデータと、コマンドデータとを含む。コマンドデータは、特殊コマンドデータと、印刷設定コマンドデータとを含む。特殊コマンドデータは、設定変更値を示す。詳しくは、特殊コマンドデータは、画像形成装置３の設定値を設定変更値に変更する指示を示す。印刷設定コマンドデータは、画像形成装置３の印刷設定に対応した情報を示す。例えば、印刷設定コマンドデータは、文字のフォントに関する指示を示す。画像形成装置３の設定値は、例えば、画像の濃度調整値を含む。中間言語は、ビットマップデータを生成するための描画データと、印刷設定コマンドデータとを含む。オブジェクトデータは、印刷すべき画像のビットマップデータと、印刷設定コマンドデータとを含む。
【００１７】
次に、図２を参照して、情報処理装置２について説明する。図２は、本実施形態に係る情報処理装置２のブロック図である。
【００１８】
図２に示すように、情報処理装置２は、通信部２１と、第１記憶部２２と、第１制御部２３とを有する。例えば、情報処理装置２は、汎用機、ＰＣ（Ｐｅｒｓｏｎａｌ  Ｃｏｍｐｕｔｅｒ）サーバー、又はＮＡＳ（Ｎｅｔｗｏｒｋ  Ａｔｔａｃｈｅｄ  Ｓｔｏｒａｇｅ）である。
【００１９】
通信部２１は、ネットワーク４に接続される。通信部２１は、ネットワーク４を介して、外部端末５から送信されるプリンター言語を受信する。また、通信部２１は、ネットワーク４を介して、画像形成装置３と通信する。詳しくは、通信部２１は、第１記憶部２２に書き込まれたオブジェクトデータを画像形成装置３に送信する。更に、通信部２１は、機械の設定変更要求を画像形成装置３に送信する。機械の設定変更要求は、特殊コマンドデータに基づく要求である。具体的には、機械の設定変更要求は、特殊コマンドデータが示す設定変更値を画像形成装置３の設定値に反映させる要求を含む。
【００２０】
第１記憶部２２は、各種のデータを記憶する。第１記憶部２２は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）、及び補助記憶装置（例えば、ハードディスクドライブ）を含む。第１記憶部２２は、第１制御部２３によって実行される種々のコンピュータープログラムを記憶する。また、種々のコンピュータープログラムは、ファームウェア、制御プログラム、及び画像処理プログラムを含む。第１記憶部２２は、オブジェクトデータを記憶する。
【００２１】
第１制御部２３は、ＣＰＵ（Ｃｅｎｔｒａｌ  Ｐｒｏｃｅｓｓｉｎｇ  Ｕｎｉｔ）のようなプロセッサーを含むハードウェア回路である。第１制御部２３は、第１記憶部２２に格納された制御プログラムを実行することによって、情報処理装置２の各要素を制御する。
【００２２】
第１制御部２３は、第１記憶部２２に記憶される画像処理プログラムを実行することで、インタープリタ、及びＲＩＰ群として機能する。第１制御部２３は、印刷コマンドを受け付けると、プリンター言語を解釈し、ラスターライズして、オブジェクトデータを生成する。
【００２３】
インタープリタは、プリンター言語を解釈して中間言語を生成し、中間言語をＲＩＰ群に出力する。
【００２４】
ＲＩＰ群は、ＲＩＰを複数有する。ＲＩＰは、変換処理を実行して、オブジェクトデータを生成する。また、ＲＩＰは、変換処理中に、特殊コマンドデータを検出することができる。複数のＲＩＰは、並列して変換処理を実行できる。
【００２５】
以下、本実施形態では、ＲＩＰ群は、４つのＲＩＰを有する。以下、４つのＲＩＰのそれぞれを「ＲＩＰ１」、「ＲＩＰ２」、「ＲＩＰ３」、及び「ＲＩＰ４」と記載する。
【００２６】
ＲＩＰ１〜ＲＩＰ４には、中間言語が入力される。例えば、ＲＩＰ１〜ＲＩＰ４には、インタープリタが出力した順に１つずつ中間言語が入力される。ＲＩＰ１〜ＲＩＰ４の変換処理が終了すると、ＲＩＰ１〜ＲＩＰ４の各々が変換処理したオブジェクトデータは第１記憶部２２に書き込まれる。
【００２７】
次に、図３を参照して、画像形成装置３について説明する。図３は、本実施形態に係る画像形成装置３のブロック図である。
【００２８】
図３に示すように、画像形成装置３は、画像形成部３１と、受信部３２と、第２記憶部３３と、第２制御部３４とを有する。例えば、画像形成装置３は、電子写真方式のプリンターである。
【００２９】
受信部３２は、ネットワーク４に接続され、情報処理装置２の通信部２１から送信されるオブジェクトデータを受信する。
【００３０】
画像形成部３１は、受信部３２が受信したオブジェクトデータに基づいて、記録媒体に画像を形成する。
【００３１】
第２記憶部３３は、各種のデータを記憶する。第２記憶部３３は、ＲＯＭ、及びＲＡＭのような主記憶装置、及び補助記憶装置を含む。第２記憶部３３は、第２制御部３４によって実行される種々のコンピュータープログラムを記憶する。第２記憶部３３は、画像形成装置３の設定値と、印刷処理に必要な基本情報とを記憶する。基本情報は、例えば、印刷の部数を示す情報、及び両面印刷の可否を示す情報を含む。
【００３２】
第２制御部３４は、ＣＰＵのようなプロセッサーを含むハードウェア回路である。第２制御部３４は、第２記憶部３３に格納されたプログラムを実行することによって、各種機能部として機能する。第２制御部３４は、画像形成装置３の各要素を制御する。詳しくは、第２制御部３４は、第２記憶部３３に記憶されている設定値に基づいて、画像形成部３１を制御する。また、第２制御部３４は、機械の設定変更要求に応じて、第２記憶部３３に記憶されている設定値を変更する。以下、第２記憶部３３に記憶されている設定値を「デフォルト値」と記載する。
【００３３】
次に、図２、図３、及び図４を参照して、情報処理装置２の第１制御部２３が実行する変換処理について説明する。図４は、実施形態に係る情報処理装置２の第１制御部２３が実行する変換処理を示す図である。詳しくは、図４に示す処理は、第１制御部２３が複数のジョブデータに対する並列処理を開始したことに応じてスタートする。本実施形態において、並列処理は、ＲＩＰ１〜ＲＩＰ４の２つ以上が同時に変換処理を実行することを示す。図４に示すステップＳ１０１〜ステップＳ１０６の処理が実行されることによって、オブジェクトデータが生成される。ここで、ジョブデータは、外部端末５から送信されたプリンター言語と、プリント言語に基づいて生成された中間言語と、オブジェクトデータとを含む概念である。また、変換処理は、プリンター言語に基づいて中間言語を生成する処理と、中間言語に基づいてオブジェクトデータを生成する処理とを含む。
【００３４】
ステップＳ１０１：第１制御部２３は、複数のジョブデータに対して並列処理を実行する。処理は、ステップＳ１０２へ進む。
【００３５】
ステップＳ１０２：第１制御部２３は、並列処理が実行されている複数のジョブデータのいずれか１つから特殊コマンドデータが検出されたか否かを判定する。本実施形態では、並行して変換処理を実行しているＲＩＰ１〜ＲＩＰ４が、中間言語に特殊コマンドデータが含まれているか否かを、第１制御部２３は判定する。特殊コマンドデータが含まれていると第１制御部２３が判定した場合（ステップＳ１０２；Ｙｅｓ）、処理は、ステップＳ１０３へ進む。特殊コマンドデータが含まれていないと第１制御部２３が判定した場合（ステップＳ１０２；Ｎｏ）、処理は、ステップＳ１０６へ進む。以下、特殊コマンドデータを含むジョブデータを、「特殊ジョブデータ」と記載する。
【００３６】
ステップＳ１０３：第１制御部２３は、並列処理が実行されている複数のジョブデータのうち、特殊ジョブデータ、及び特殊ジョブデータの変換処理が開始された後に変換処理が開始されたジョブデータの並列処理を停止させる。処理は、ステップＳ１０４へ進む。以下、複数のジョブデータのうち、特殊ジョブデータの変換処理が開始された後に変換処理が開始されたジョブデータを「特殊ジョブデータ以降のジョブデータ」と記載する。
【００３７】
ステップＳ１０４：第１制御部２３は、通信部２１を介して、特殊コマンドデータが示す設定変更値を反映させる要求（機械の設定変更要求）を画像形成装置３に行う。具体的には、第１制御部２３は、通信部２１を介して、設定変更値を画像形成装置３に送信する。設定変更値を受信した画像形成装置３の第２制御部３４は、デフォルト値を設定変更値が示す値に変更する。処理は、ステップＳ１０５へ進む。
【００３８】
ステップＳ１０５：第１制御部２３は、並列処理を停止させたジョブデータに対して、逐次処理を実行する。処理は、終了する。なお、逐次処理とは、順を追って次々に変換処理を実行することを示す。また、画像形成装置３の第２制御部３４は、機械の設定変更要求に応じてデフォルト値を変更させる場合、逐次処理によって生成されたオブジェクトデータに応じた画像を記録媒体に形成した後、変更した設定値をデフォルト値に戻す。
【００３９】
ステップＳ１０６：第１制御部２３は、並列処理中の全てのジョブデータに対する変換処理が完了したか否かを判定する。変換処理が完了したと第１制御部２３が判定した場合（ステップＳ１０６；Ｙｅｓ）、処理は終了する。変換処理が完了していないと第１制御部２３が判定した場合（ステップＳ１０６；Ｎｏ）、処理はステップＳ１０１に戻る。
【００４０】
次に、図２、図４、及び図５（ａ）〜図５（ｃ）を参照して、情報処理装置２の第１制御部２３が実行する変換処理について更に説明する。図５（ａ）〜図５（ｃ）は、本実施形態における変換処理を示すタイミングチャートである。なお、図５（ａ）〜図５（ｃ）において、横軸は時間を示す。
【００４１】
詳しくは、図５（ａ）は、４つのジョブデータに対して並列処理が実行されたことを示す。言い換えると、図５（ａ）には、４つのジョブデータのいずれも特殊コマンドデータを含まない場合に、ＲＩＰ１〜ＲＩＰ４が実行する変換処理を示す。図５（ａ）中、第１処理Ａ１は、ＲＩＰ１が第１中間言語の変換処理を実行し、ＲＩＰ１の変換処理が完了したことを示す。同様に、第２処理Ａ２は、ＲＩＰ２が第２中間言語の変換処理を実行し、ＲＩＰ２の変換処理が完了したことを示す。第３処理Ａ３は、ＲＩＰ３が第３中間言語の変換処理を実行し、ＲＩＰ３の変換処理が完了したことを示す。第４処理Ａ４は、ＲＩＰ４が第４中間言語の変換処理を実行し、ＲＩＰ４の変換処理が完了したことを示す。第１中間言語、第２中間言語、第３中間言語、及び第４中間言語は、互いに異なる。
【００４２】
ＲＩＰ１〜ＲＩＰ４のいずれも、特殊コマンドデータを検出しない場合、図５（ａ）に示すように、ＲＩＰ１〜ＲＩＰ４の各々は、インタープリタから中間言語が入力された順に、変換処理を開始し、変換処理を完了する。図５（ａ）に示す例では、時刻ｔ１において、ＲＩＰ１は変換処理を完了しており、ＲＩＰ２、ＲＩＰ３、及びＲＩＰ４は、並行して変換処理を実行している。
【００４３】
図５（ｂ）は、時刻ｔ１において、ＲＩＰ２〜ＲＩＰ４の変換処理が途中で停止したことを示す。具体的には、図５（ｂ）中、第２処理Ａ２は、ＲＩＰ２が第２中間言語の変換処理を実行し、時刻ｔ１において変換処理を中断したことを示す。同様に、第３処理Ａ３は、ＲＩＰ３が第３中間言語の変換処理を実行し、時刻ｔ１において変換処理を中断したことを示す。第４処理Ａ４は、ＲＩＰ４が第４中間言語の変換処理を実行し、時刻ｔ１において変換処理を中断したことを示す。
【００４４】
第１制御部２３は、複数のジョブデータのうち、特殊ジョブデータ及び特殊ジョブデータ以降のジョブデータの並列処理を停止させる。図５（ｂ）に示す例では、時刻ｔ１において、ＲＩＰ２が特殊コマンドデータを検出する。その結果、第１制御部２３は、時刻ｔ１において、ＲＩＰ２、ＲＩＰ３、及びＲＩＰ４の変換処理を途中で停止させる。この後、第１制御部２３は、通信部２１を介して、ＲＩＰ２が検出した特殊コマンドに基づく機械の設定変更要求を、画像形成装置３に行う。また、ＲＩＰ２、ＲＩＰ３、及びＲＩＰ４が途中まで実行した変換処理の結果は、第１記憶部２２に書き込まれず、利用されない。
【００４５】
以上、図５（ｂ）を参照して説明したように、並行して変換処理を実行しているＲＩＰ２〜ＲＩＰ４のうち、変換処理を最初に開始したＲＩＰ２は、特殊コマンドデータを検出する。そして、第１制御部２３は、特殊コマンドデータを示す設定変更値を画像形成装置３に反映させる。その結果、特殊ジョブデータに基づく画像に加えて、特殊ジョブデータの変換処理が開始された後に変換処理が開始されたジョブデータに基づく画像を、設定変更値が反映された画像形成装置３によって記録媒体に形成することができる。したがって、特殊ジョブデータ以降のジョブデータに対して、ジョブデータ毎に特殊コマンドデータを設定する必要がない。
【００４６】
図５（ｃ）は、時刻ｔ２以降に、ＲＩＰ２〜ＲＩＰ４が逐次処理を実行することを示す。
【００４７】
詳しくは、第１制御部２３は、ＲＩＰ２〜ＲＩＰ４による並列処理を中断させた後、ＲＩＰ２〜ＲＩＰ４に、ジョブデータの逐次処理を実行させる。図５（ｃ）に示す例では、時刻ｔ１において、ＲＩＰ２が特殊コマンドデータを検出する。その結果、第１制御部２３は、時刻ｔ１において、ＲＩＰ２、ＲＩＰ３、及びＲＩＰ４の変換処理を途中で停止させる。次いで、第１制御部２３は、時刻ｔ２において、ＲＩＰ２の変換処理を再度実行させる。次いで、ＲＩＰ２の変換処理が終了すると同時に、ＲＩＰ３の変換処理を再度実行させる。次いで、ＲＩＰ３の変換処理が終了すると同時に、ＲＩＰ４の変換処理を再度実行させる。
【００４８】
図５（ｂ）を参照して説明したように、第１制御部２３は、並列処理が実行されている複数のジョブデータのいずれか１つから特殊コマンドデータを検出し、特殊コマンドデータを検出したことに応じて並列処理を停止し、通信部２１を介して、機械の設定変更要求を画像形成装置３に行う。これにより、画像形成装置３に設定変更値を反映させた後に、第１制御部２３は、停止させた変換処理を再度実行し、オブジェクトデータを画像形成装置３に送信することが可能となる。そのため、複数のジョブデータを並列処理している間に複数のジョブデータのいずれか１つから特殊コマンドデータを検出した際、複数のジョブデータに基づく画像を、特殊コマンドデータが示す設定変更値を反映させた画像とすることができる。
【００４９】
図５（ｃ）を参照して説明したように、第１制御部２３は、機械の設定変更要求の後、並列処理を停止させた複数のジョブデータを逐次処理する。したがって、特殊ジョブデータ以降のジョブデータのいずれかに特殊コマンドデータが含まれている場合、第１制御部２３は、特殊コマンドデータを含むジョブデータに対する変換処理のみを中断させればよく、効率よく変換処理を実行できる。これに対し、機械の設定変更要求の後、並列処理を中断させた複数のジョブデータに対して、再度並列処理を実行した場合、特殊ジョブデータ以降のジョブデータのいずれかから、特殊コマンドデータが検出されると、並列処理を再度中断させる必要があり、変換処理の効率が低くなる。
【００５０】
以上、図面（図１〜図５）を参照しながら本発明の実施形態を説明した。但し、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００５１】
（１）図１〜図５を参照して説明したように、本発明の実施形態では、第１制御部２３は、機械の設定変更要求の後、並列処理していた複数のジョブデータを逐次処理するとしたが本発明はこれに限定されない。例えば、第１制御部２３は、機械の設定変更要求の後、並列処理を停止させた複数のジョブデータを再度並列処理させてもよい。
【００５２】
（２）図５（ａ）、図５（ｂ）、及び図５（ｃ）を参照して説明したように、本発明の実施形態では、第１制御部２３は、並列処理する複数のジョブデータのうち、第１制御部２３が最初に返還処理を開始したジョブデータから特殊コマンドデータを検出しているが、本発明はこれに限定されない。例えば、第１制御部２３は、並列処理する複数のジョブデータのうち、第１制御部２３が２番目以降に変換処理を開始したジョブデータから特殊コマンドデータを検出してもよい。
【００５３】
（３）図１〜図５を参照して説明したように、本発明の実施形態では、ＲＩＰ群は４つのＲＩＰを有するとしたが本発明はこれに限定されない。例えば、ＲＩＰ群は２つのＲＩＰ、３つのＲＩＰ又は５つ以上のＲＩＰを有してもよい。
【産業上の利用可能性】
【００５４】
本発明は、例えば、画像形成システム、情報処理装置、及び情報処理方法の分野に有用である。
【符号の説明】
【００５５】
１    画像形成システム
２    情報処理装置
３    画像形成装置
２１  通信部
２３  制御部
【図１】
2020144604.tif 000003
【図２】
2020144604.tif 000004
【図３】
2020144604.tif 000005
【図４】
2020144604.tif 000006
【図５】
2020144604.tif 000007